(57)【要約】【課題】設置姿勢に関わらず、光ディスクの搬送中に光ディスクのレーベル面に傷が付くことのない光ディスク装置を提供することである。【解決手段】光ディスクをレーベル面側からチャッキングするクランパーと突出したシャフトとを有するアームクランパーアッシーと、シャフトが移動可能に係合するカム溝２４ｂを有するスライダー２４と、を備え、クランパーがチャッキング位置から光ディスクに接触しない位置まで移動するときに、シャフトが移動するカム溝部分の第１傾斜角度θ１が、スライダー２４のチャッキング動作時の移動方向に対して４５°より大きいことを特徴とする。【選択図】図４
2014044767.tif 000002
【特許請求の範囲】
【請求項１】
光ディスクをレーベル面側からチャッキングするクランパーと、突出したシャフトとを有するアームクランパーアッシーと、
前記シャフトが移動可能に係合するカム溝を有するスライダーと、を備え、
前記クランパーがチャッキング位置から光ディスクに接触しない位置まで移動するときに、前記シャフトが移動する前記カム溝部分の第１傾斜角度が、前記スライダーのチャッキング動作時の移動方向に対して４５°より大きいことを特徴とする光ディスク装置。
【請求項２】
前記第１傾斜角度が、前記スライダーのチャッキング動作時の移動方向に対して５５〜７５°であることを特徴とする請求項１記載の光ディスク装置。
【請求項３】
前記クランパーが光ディスクに接触しない位置からアンチャッキング位置まで移動するときに、前記シャフトが移動する前記カム溝部分の第２傾斜角度が、前記第１傾斜角度と等しいことを特徴とする請求項１又は２記載の光ディスク装置。
【請求項４】
前記クランパーが光ディスクに接触しない位置からアンチャッキング位置まで移動するときに、前記シャフトが移動する前記カム溝部分の第２傾斜角度が、前記スライダーのチャッキング動作時の移動方向に対して４５°より小さいことを特徴とする請求項１又は２記載の光ディスク装置。
【請求項５】
アンチャッキング動作時に前記アームクランパーアッシーを動作方向に付勢するバネを備えることを特徴とする請求項１〜４の何れかに記載の光ディスク装置。
【発明の詳細な説明】
【技術分野】
【０００１】
本発明は、ＢＤ（Blu-ray Disc）、ＤＶＤ（Digital Versatile Disc）等の光ディスクに対して記録／再生を行う光ディスク装置に関する。
【背景技術】
【０００２】
光ディスクを再生したり、光ディスクに記録したりする光ディスク装置には、様々な形態が提案されている。例えば、光ディスク装置の形態の一つに、光ディスクを載置して搬送するトレイを用いて光ディスクを収納及び排出するディスクローディング機構を有するものがある。また、トレイに載置せずに光ディスクを直接的に収納及び排出するスロットインタイプのディスクローディング機構を有するものもある。
【０００３】
このようなディスクローディング機構においては、一般的に、光ディスクをチャッキングするために昇降可能なクランパーアッシーと、クランパーアッシーを昇降させるスライダーとが用いられている。具体的には、スライダーに傾斜したカム溝が形成されており、スライダーの移動によりカム溝に沿ってクランパーアッシーのシャフトが移動することで、クランパーアッシーが昇降するようになっている（特許文献１〜３参照）。
【０００４】
ところで、光ディスク装置の設置姿勢は、縦置き又は横置き（水平姿勢）が一般的である。縦置きの場合は光ディスクのレーベル面が鉛直な状態で収納、排出され、横置きの場合は光ディスクのレーベル面が上向きで水平な状態で収納、排出される。
【先行技術文献】
【特許文献】
【０００５】
【特許文献１】特許第３８６２７３３号公報
【特許文献２】特開２００５−２２８４４１号公報
【特許文献３】特開２００８−２２６３６１号公報
【発明の概要】
【発明が解決しようとする課題】
【０００６】
上記のようなローディング機構を有する光ディスク装置を縦置きした場合は、光ディスクが排出される際に重力によってクランパーアッシーのシャフトがスライダーのカム溝の下側（横置き時の上側）に沿って移動するので問題は生じない。一方、横置きした場合は、光ディスクが排出される際に重力によってシャフトがカム溝の下側に沿って移動するので、クランパーアッシーの上昇が遅れ、搬送中の光ディスクのレーベル面にクランパーが接触し、レーベル面に傷が付くことがあった。
【０００７】
本発明は、設置姿勢に関わらず、光ディスクの搬送中に光ディスクのレーベル面に傷が付くことのない光ディスク装置を提供することを目的とする。
【課題を解決するための手段】
【０００８】
上記目的を達成するために本発明の光ディスク装置は、光ディスクをレーベル面側からチャッキングするクランパーと、突出したシャフトとを有するアームクランパーアッシーと、前記シャフトが移動可能に係合するカム溝を有するスライダーと、を備え、前記クランパーがチャッキング位置から光ディスクに接触しない位置まで移動するときに、前記シャフトが移動する前記カム溝部分の第１傾斜角度が、前記スライダーのチャッキング動作時の移動方向に対して４５°より大きいことを特徴とする。
【０００９】
上記の光ディスク装置において、前記第１傾斜角度が、前記スライダーのチャッキング動作時の移動方向に対して５５〜７５°であることがより好ましい。
【００１０】
また上記の光ディスク装置において、前記クランパーが光ディスクに接触しない位置からアンチャッキング位置まで移動するときに、前記シャフトが移動する前記カム溝部分の第２傾斜角度が、前記第１傾斜角度と等しい形態であってもよい。
【００１１】
また上記の光ディスク装置において、前記クランパーが光ディスクに接触しない位置からアンチャッキング位置まで移動するときに、前記シャフトが移動する前記カム溝部分の第２傾斜角度が、前記スライダーのチャッキング動作時の移動方向に対して４５°より小さい形態であってもよい。
【００１２】
また上記の光ディスク装置において、アンチャッキング動作時に前記アームクランパーアッシーを動作方向に付勢するバネを備える構成としてもよい。
【発明の効果】
【００１３】
本発明によると、光ディスク装置を横置き（水平姿勢）に設置した場合でも、光ディスクの搬送中にクランパーが光ディスクのレーベル面に接触することがないので、光ディスクのレーベル面に傷が付くことを防止できる。
【図面の簡単な説明】
【００１４】
【図１】本発明の一実施形態の光ディスク装置の構成を示すブロック図である。
【図２】本発明の一実施形態の光ディスク装置のドライブ装置の斜視図である。
【図３】本発明の一実施形態のアームクランパーアッシーの斜視図である。
【図４】本発明の一実施形態のスライダーの側面図である。
【図５】本発明の一実施形態のチャッキング完了位置にあるアームクランパーアッシー及びスライダーの側面図である。
【図６】本発明の一実施形態のアンチャッキング完了位置にあるアームクランパーアッシー及びスライダーの側面図である。
【図７】本発明の一実施形態のカム溝の側面図である。
【発明を実施するための形態】
【００１５】
以下、光ディスク装置を横置き（水平姿勢）に設置した状態、すなわち光ディスクのレーベル面が上向きで水平に収納、排出される状態を基準に説明する。水平とは鉛直方向に垂直な方向とする。また光ディスクが排出される側を前側とする。
【００１６】
図１は、本実施形態の光ディスク装置の構成を示すブロック図である。光ディスク装置１は、光ディスク１５の情報の再生、及び光ディスク１５への情報の記録を行うことができる。２は、スピンドルモーターであり、光ディスク１５は、このスピンドルモーター２の上部に設けられるチャック部（ターンテーブル及びクランパー）に着脱可能に保持される。そして、光ディスク１５の情報の記録再生を行う際に、スピンドルモーター２は光ディスク１５を連続回転する。スピンドルモーター２の回転制御は、スピンドルモーター制御部３によって行われる。
【００１７】
４は、光ピックアップユニット（ＯＰＵ）であり、光源から出射される光ビームを光ディスク１５に照射し、光ディスク１５への情報の書き込みと、光ディスク１５に記録されている情報の読み取りを可能とする。
【００１８】
信号処理部８は、少なくともＲＦ信号処理部９とトラックエラー信号処理部１０とフォーカスエラー信号処理部１１とを含んでいる。そして、この信号処理部８において、光検出器（不図示）で変換された電気信号に基づいて、ＲＦ信号、トラックエラー信号（ＴＥ信号）、フォーカスエラー信号（ＦＥ信号）を生成する。ＲＦ信号はデータ復調部１２でデータに復調される。
【００１９】
ＴＥ信号及びＦＥ信号は、アクチュエータ制御部７に出力される。アクチュエータ制御部７は、これらの信号に基づいて、対物レンズを移動可能とする図示しないアクチュエータに駆動信号を供給する。駆動信号が供給されたアクチュエータは、信号に基づいて各部を作動させて、対物レンズを光軸と平行な方向に移動して、光ディスク１５の記録面１５ａにフォーカスを追従させるフォーカス制御や対物レンズを光ディスク１５の半径方向と平行な方向に移動して光ビームのスポット位置を光ディスク１５に形成されるトラック位置に追従させるトラッキング制御を行う。
【００２０】
その他、レーザ制御手段５は、光ピックアップ４に備えられる半導体レーザから成る光源（不図示）のレーザ出力を制御する。また、全体制御部１３は、スピンドルモーター制御部３、レーザ制御部５、ビームエキスパンダ制御部６、アクチュエータ制御部７、信号処理部８、及びデータ復調部１２等を制御して、装置全体のコントロールを行う。
【００２１】
図２は、本実施形態の光ディスク装置１のドライブ装置の斜視図である。光ディスク装置１は外観を形成する装置本体の筐体内にドライブ装置２０を収容している。ドライブ装置２０は、ドライブ装置２０の各部材を収容するローダーシャーシ２１と、光ディスク１５を搬送する複数のローラー（不図示）と、光ディスクをレーベル面側からチャッキングするクランパー２２を備えたアームクランパーアッシー２３と、アームクランパーアッシー２３の側面に配置され、前後方向（光ディスク１５の搬送方向）に移動してアームクランパーアッシー２３を昇降（上下動）させるスライダー２４と、ローラー及びスライダー２４を複数のギヤを介して駆動するモーター（不図示）と、ローダーシャーシ２１の上面を覆うカバー２５と、一端がアームクランパーアッシー２３に他端がカバー２５に固定され、アームクランパーアッシー２３を上昇方向に付勢するバネ２６とを備えている。
【００２２】
また図示しないが、ローダーシャーシ２１には、アームクランパーアッシー２３の下面側に、ＯＰＵと、ＯＰＵを光ディスク１５の径方向（前後方向）に移動可能に支持する２本のガイドシャフトと、ＯＰＵ駆動用のステッピングモーターと、光ディスク１５を回転させるスピンドルモーターと、スピンドルモーターの上部に設けられたターンテーブルも収容されている。
【００２３】
上記構成の光ディスク装置において、光ディスク１５が挿入されると、モーターの駆動により光ディスク１５が光ディスク装置１内に搬送されるとともに、スライダー２４が移動してアームクランパーアッシー２３を下降させる。これにより、クランパー２２とターンテーブルとが係合し、光ディスク１５がチャッキングされる。
【００２４】
光ディスク１５がチャッキングされると、スライダー２４へのモーターの駆動力伝達が解除されてスライダー２４及びアームクランパーアッシー２３が停止する。続いてステッピングモーターの駆動によりＯＰＵが所定位置に移動し、光ディスク１５に対して記録又は再生を行う。また、光ディスクを取り出す際には上記と逆の動作が行われる。
【００２５】
次に、本発明の特徴的な構成部分について詳しく説明する。図３はアームクランパーアッシー２３の斜視図、図４はスライダー２４の側面図、図５はチャッキング完了位置にあるアームクランパーアッシー２３及びスライダー２４の側面図、図６は、アンチャッキング完了位置にあるアームクランパーアッシー２３及びスライダー２４の側面図である。換言すれば、図５はスライダー２４が矢印Ａ方向（前方向）へ移動した後の状態、図６はスライダー２４が矢印Ｂ方向（後方向）へ移動した後の状態である。
【００２６】
図３に示すように、アームクランパーアッシー２３には、左右端が下方に直角に折り曲げられて側面部２３ａ、２３ｂが形成されている。側面部２３ａ、２３ｂの後端付近にはそれぞれ貫通孔２３ｃ、２３ｄが設けられている。そして、貫通孔２３ｃ、２３ｄにカバー２５の突起部（不図示）が挿通されることで、貫通孔２３ｃ、２３ｄを軸としてアームクランパーアッシー２３が回動可能、つまり昇降可能となっている。
【００２７】
また、アームクランパーアッシー２３は、側面部２３ａから水平方向に外側へ突出したシャフト２３ｅを有する。シャフト２３ｅは円柱状の部材であり、例えば、側面部２３ａの穴にカシメ加工によって固定されている。そして、シャフト２３ｅが後述するスライダー２４のカム溝に移動可能に係合し、カム溝に沿って摺動することで、アームクランパーアッシー２３が昇降可能となっている。
【００２８】
図４に示すように、スライダー２４にはラック２４ａが形成されている。そして、ラック２４ａが駆動するギヤに噛合し、ギヤの回転によりスライダー２４が前方向（矢印Ａ方向）又は後方向（矢印Ｂ方向）に移動するようになっている。また、スライダー２４には、左右方向に貫通した長穴であるカム溝２４ｂが設けられている。
【００２９】
カム溝２４ｂは、チャッキング側水平部２４ｃと、傾斜部２４ｄと、アンチャッキング側水平部２４ｅとで構成されている。チャッキング側水平部２４ｃは、クランパー２２がチャッキング位置又はチャッキング完了位置にあるときに、シャフト２３ｅが位置する水平な溝部分である。一方、アンチャッキング側水平部２４ｅは、クランパー２２がアンチャッキング位置又はチャッキング完了位置にあるときに、シャフト２３ｅが位置する水平な溝部分であり、チャッキング側水平部２４ｃより上に位置する。そして、傾斜部２４ｄは、チャッキング側水平部２４ｃとアンチャッキング側水平部２４ｅとを滑らかに繋ぐ傾斜した溝部分である。
【００３０】
ここで、チャッキング位置とは、クランパー２２が下降して最下点に達した時点を指し、つまり、シャフト２３ｅがカム溝２４ｂの傾斜部２４ｄとチャッキング側水平部２４ｃとの接続点に位置している状態である。またチャッキング完了位置とは、図５に示した状態であり、スライダー２４の移動が終了してシャフト２３ｅがチャッキング側水平部２４ｃの端部付近に位置している状態である。
【００３１】
一方、アンチャッキング位置とは、クランパー２２が上昇して最上点に達した時点を指し、つまり、シャフト２３ｅがカム溝２４ｂの傾斜部２４ｄとアンチャッキング側水平部２４ｅとの接続点に位置している状態である。またアンチャッキング完了位置とは、図６に示した状態であり、スライダー２４の移動が終了してシャフト２３ｅがアンチャッキング側水平部２４ｅの端部付近に位置している状態である。
【００３２】
光ディスク装置１を横置き（水平姿勢）に設置した場合、光ディスク１５の排出動作（図５の状態から図６の状態への動作）、収納動作（図６の状態から図５の状態への動作）の両方において、重力によりシャフト２３ｅが傾斜部２４ｄの下側に沿って移動する。バネ２６はシャフト２３ｅが持ち上がるほど大きな付勢力を有していない。
【００３３】
次に、傾斜部２４ｄの傾斜角度（第１傾斜角度）θ１は、スライダー２４のチャッキング動作時の移動方向（矢印Ａ方向）に対して４５°より大きく設定されている。このような傾斜角度θ１とすることにより、横置き（水平姿勢）に設置した場合、光ディスク１５の排出動作時にはシャフト２３ｅが傾斜部２４ｄの下側に沿って移動するが、傾斜角度θ１が大きいのでクランパー２２が光ディスク１５から早い時点で離れる。したがって、光ディスク１５の排出時の搬送開始時点では既にクランパー２２の下端が光ディスク１５の上面（レーベル面）よりも上方に位置している。よって、光ディスク１５の搬送中にクランパー２２が光ディスクのレーベル面に接触することがないので、光ディスク１５のレーベル面に傷が付くことを防止できる。また逆に、光ディスク１５の収納動作においても同様にレーベル面に傷が付くことを防止できる。これは、光ディスク１５の収納、排出の一連の動作を１００回行い、光ディスク１５のレーベル面に傷が生じなかったことで確認している。
【００３４】
なお、アームクランパーアッシー２３の滑らかな動作を実現するには、傾斜角度θ１が５５〜７５°であることが好ましく、約６０°であることがより好ましい。傾斜角度θ１が４５°以下の場合、光ディスク装置１を横置きに設置した場合に、光ディスク１５が排出される際に重力によってシャフト２３ｅがカム溝２４ｂの下側に沿って移動するので、アームクランパーアッシー２３の上昇が遅れ、搬送中の光ディスク１５のレーベル面にクランパー２２が接触し、レーベル面に傷が付くことがある。一方、傾斜角度θ１が７５°より大きい場合、シャフト２３ｅがカム溝２４ｂのチャッキング側水平部２４ｃからを傾斜部２４ｄに上がるときの抵抗が大きくなり、動作負荷が増大する。ただし、チャッキング側水平部２４ｃと傾斜部２４ｄとの接続部分を曲面にすることで抵抗を小さくすることができるので、傾斜角度が直角付近でも実現可能である。
【００３５】
ところで、光ディスク装置１において、チャッキング位置の高さ及びアンチャッキング位置の高さは設計上予め決まっていることが多い。そのため、チャッキング位置とアンチャッキング位置とでシャフト２３ｅが位置する高さは変更できない。よって、アンチャッキング位置をさらに上に位置するように変更することはできない。また、チャッキング完了位置及びアンチャッキング完了位置も決まっていることが多い。
【００３６】
そこで、上記のように傾斜部２４ｄの傾斜角度θ１を大きくするには、アンチャッキング位置をチャッキング位置に近づけ、アンチャッキングを早くする。すなわち、アンチャッキング側水平部２４ｅを長く設計する。
【００３７】
なお、上記の実施形態では、傾斜部２４ｄを傾斜角度θ１のみを有する直線的な傾斜部としているが、傾斜角度がθ１である必要があるのは、少なくともクランパー２２がチャッキング位置から光ディスク１５に接触しない位置まで移動するときに、シャフト２３ｅが移動するカム溝部分の傾斜角度である。つまり、傾斜部２４ｄの下端から傾斜部２４ｄの途中までの傾斜角度がθ１であれば、本発明の効果が得られる。
【００３８】
よって、傾斜部の他の形態として、図７のような形態も考えられる。図７は他の形態のカム溝３０の側面図である。カム溝３０は、チャッキング側水平部３０ａと、第１傾斜部３０ｂと、第２傾斜部３０ｃと、アンチャッキング側水平部３０ｄとで構成されている。
【００３９】
第１傾斜部３０ｂの傾斜角度（第１傾斜角度）θ１は、上記の実施形態と同様である。第２の傾斜部３０ｃの傾斜角度（第２傾斜角度）θ２は、スライダーのチャッキング動作時の移動方向に対して４５°より小さく設定されている。すなわち、クランパー２２が光ディスク１５に接触しない位置からアンチャッキング位置まで移動するときに、シャフト２３ｅが移動するカム溝部分の傾斜角度（第２傾斜角度）θ２が、スライダーのチャッキング動作時の移動方向に対して４５°より小さく設定されている。
【００４０】
このような傾斜角度の小さな第２傾斜部３０ｃを設けることにより、アームクランパーアッシー２３の急激な昇降を和らげることができ、チャッキング及びアンチャッキングの動作が安定する。
【００４１】
なお、傾斜角度θ２を用いて図４に示したカム溝２４ｂの形態を表現すると、クランパー２２が光ディスク１５に接触しない位置からアンチャッキング位置まで移動するときに、シャフト２３ｅが移動するカム溝部分の傾斜角度θ２が、傾斜角度θ１と等しい場合である、と言える。
【００４２】
上記の実施形態では、光ディスク装置を横置き（水平姿勢）に設置した状態について説明したが、本光ディスク装置を縦置きに設置した場合でも上記と同様の効果が得られるのは言うまでもない。したがって、本発明によれば、光ディスク装置の設置姿勢に関わらず、光ディスクの搬送中に光ディスクのレーベル面に傷が付くことがないと言える。
【００４３】
また上記の実施形態では、光ディスクを直接的に収納及び排出するディスクローディング機構を有する光ディスク装置を例に説明したが、本発明はスライダーによってクランパーを昇降させる機構を採用した光ディスク装置であれば適用できる。例えば、本発明は光ディスクを載置して搬送するトレイを用いて光ディスクを収納及び排出するディスクローディング機構を有する光ディスク装置にも適用できる。
【産業上の利用可能性】
【００４４】
本発明は、ＢＤ、ＤＶＤ、ＣＤ（Compact Disc）、ＭＤ（Mini Disc）等の光ディスクを再生する再生装置や光ディスクに記録することもできる記録再生装置をはじめとする光ディスク装置に利用することができる。例えば、ＢＤ・ＤＶＤプレーヤー、ＢＤ・ＤＶＤレコーダー、テレビ一体型ＢＤ・ＤＶＤレコーダー、ＢＤ・ＤＶＤ記録再生装置搭載のパーソナルコンピューターなどが挙げられる。
【符号の説明】
【００４５】
１  光ディスク装置
１５  光ディスク
２２  クランパー
２３  アームクランパーアッシー
２３ｅ  シャフト
２４  スライダー
２４ｂ、３０  カム溝
２６  バネ
θ１  第１傾斜角度
θ２  第２傾斜角度
【図１】
2014044767.tif 000003
【図２】
2014044767.tif 000004
【図３】
2014044767.tif 000005
【図４】
2014044767.tif 000006
【図５】
2014044767.tif 000007
【図６】
2014044767.tif 000008
【図７】
2014044767.tif 000009